(57)【要約】【課題】複数の通信モードによる通信が可能な携帯無線装置において、使用する通信モードを使用者が容易かつ確実に認識できるようにする。【解決手段】携帯無線装置は、２つの通信モードでの無線通信が可能なように、ＷＣＤＭＡ無線通信部３とＧＳＭ無線通信部１３とを有している。また、報知手段として、ＬＥＤ１８、共鳴器１９、バイブレータ２０、バックライト２１を備えている。ベースバンド制御処理部１４は、キャンプオン時、あるいは音声またはデータの受信時に、予めなされた報知方法の設定に基づき、ＬＥＤ１８、共鳴器１９、バイブレータ２０、バックライト２１の単独または組み合わせによって通信モードに対応する報知を行い、使用者に使用中の通信モードの種類を認識させる。【選択図】  図１
2004193763.tif 000002
【特許請求の範囲】
【請求項１】
複数の通信モードに対応可能な携帯無線装置であって、通信待機状態であるキャンプオン時、あるいは音声またはデータ受信時に、使用者が視覚的、聴覚的、触覚的の少なくとも一つにより認識可能なように通信モードの種類を報知する報知手段を備えたことを特徴とする携帯無線装置。
【請求項２】
前記報知手段として発音手段を備え、前記発音手段により通信モードを識別するための異なる音色をもつ単音またはメロディを出力することを特徴とする請求項１に記載の携帯無線装置。
【請求項３】
前記報知手段として発光手段を備え、前記発光手段により通信モードを識別するための異なる色を発光することを特徴とする請求項１に記載の携帯無線装置。
【請求項４】
前記報知手段として液晶表示素子を照明するバックライトを備え、前記バックライトにより通信モードを識別するための異なる色を発光することを特徴とする請求項１に記載の携帯無線装置。
【請求項５】
前記報知手段としてバイブレータを備え、前記バイブレータにより通信モードを識別するための異なる振動パターンで装置筐体を振動させることを特徴とする請求項１に記載の携帯無線装置。
【請求項６】
前記報知手段として、発音手段、発光手段、バックライト、バイブレータのうちの少なくとも２つを備え、これらの報知手段を任意に組み合わせて動作させるための選択手段を備えたことを特徴とする請求項１に記載の携帯無線装置。
【請求項７】
前記キャンプオン時に、前記複数の通信モードにおけるそれぞれの受信レベルを検出して受信レベルが高い通信モードに切り替え、前記報知手段を駆動して該当する通信モードの種類を報知する制御手段を備えたことを特徴とする請求項１に記載の携帯無線装置。
【発明の詳細な説明】
【０００１】
【発明の属する技術分野】
本発明は、デュアルモード対応の携帯電話装置など、複数の通信モードでの通信が可能な携帯無線装置に関する。
【０００２】
【従来の技術】
従来の携帯電話などの端末装置では、利用可能な通信サービスの種類やその通信サービスの品質を識別して使用者に報知する手法が提案されている（例えば、特許文献１参照）。例えば、パケット通信が可能な携帯電話装置の表示部には、パケット通信中にその旨を示す文字等が点灯表示される。また、電波の受信レベルは、表示部に表示されるアンテナバーの本数で認識できる。このような報知は広く一般的に利用されている。
【０００３】
ところで、近年は多くの通信事業者が様々な通信システムや通信サービスを提供しており、通信事業者（あるいは通信モード）ごとの専用端末に加え、例えば、携帯電話（ＰＤＣ方式等）とＰＨＳ（登録商標）の両通信方式に対応可能な一体型の携帯端末とした複合端末なども使用されている（例えば、特許文献２参照）。しかし、従来の装置では、音声またはデータの受信時等に、どの通信モードを使用しているかを使用者が容易に把握できず、使い勝手が悪かった。
【０００４】
また、欧州で使用されているＧＳＭ（Ｔｈｅ  Ｇｌｏｂａｌ  Ｓｙｓｔｅｍ  ｆｏｒ  Ｍｏｂｉｌｅ  ｃｏｍｍｕｎｉｃａｔｉｏｎｓ）方式に対応した携帯無線装置では、一つの通信モードに対しデュアルバンド対応（９００ＭＨｚ／１８００ＭＨｚ）とした端末が一般的であるが、現在使用している周波数帯域（バンド）を報知する手段などは特に設けられていなかった。また、単一の通信モード用の端末であるため、通信モードを識別して報知する手段なども設けられていなかった。
【０００５】
【特許文献１】
特開２００２−４４７２９号公報  （第３−７頁、図３−４）
【特許文献２】
特開２０００−２０１３８１号公報  （第３−４頁、図１−２）
【０００６】
【発明が解決しようとする課題】
上述したように、従来の携帯無線装置では、通信中に使用者が現在使用している通信モードやバンドなどを容易に把握することができず、使い勝手が悪いという問題点があった。例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）におけるＧＳＭとＷＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）の両通信方式に対応したデュアルモード通信端末のような、複数の通信モードにおける通信が可能な携帯無線装置では、装置使用時、例えば、相手が話中の場合に待機状態として終話時点で自動的に呼び出すキャンプオン機能の動作時や、音声またはデータの受信時などに、どの通信モードを使用しているかが端末の使用者にとって確実に把握できることが望まれる。
【０００７】
また、装置の動作状態を報知する場合に、表示だけの報知では使用者に判り難いという問題点もある。例えば、携帯無線装置での音声通話中などでは、使用者は一般に装置筐体を耳にあてているため、表示部を見て現在の動作状態を確認することはできなかった。
【０００８】
本発明は、上記課題を解決するためになされたもので、複数の通信モードによる通信が可能な携帯無線装置において、使用する通信モードを使用者が容易かつ確実に認識することが可能な携帯無線装置を提供することを目的とする。
【０００９】
【課題を解決するための手段】
本発明に係る携帯無線装置は、複数の通信モードに対応可能な携帯無線装置であって、通信待機状態であるキャンプオン時、あるいは音声またはデータ受信時に、使用者が視覚的、聴覚的、触覚的の少なくとも一つにより認識可能なように通信モードの種類を報知する報知手段を備えたことを特徴とする。
【００１０】
上記構成により、携帯無線装置の使用者は、キャンプオン時、あるいは音声またはデータの受信時などにおいて、視覚、聴覚、触覚などにより現在の通信モードの種類を容易かつ確実に把握することが可能となる。
【００１１】
ここで、前記報知手段として発音手段を備え、前記発音手段により通信モードを識別するための異なる音色をもつ単音またはメロディを出力することとする。この構成により、携帯無線装置の使用者は共鳴器等の発音手段による単音またはメロディによって聴覚的に通信モードの種類を容易に把握することができる。
【００１２】
また、前記報知手段として発光手段を備え、前記発光手段により通信モードを識別するための異なる色を発光することとする。この構成により、携帯無線装置の使用者はＬＥＤ等の発光手段による発光色によって視覚的に通信モードの種類を容易に把握することができる。
【００１３】
また、前記報知手段として液晶表示素子を照明するバックライトを備え、前記バックライトにより通信モードを識別するための異なる色を発光することとする。この構成により、携帯無線装置の使用者はバックライトによる照明光の色によって視覚的に通信モードの種類を容易に把握することができる。
【００１４】
また、前記報知手段としてバイブレータを備え、前記バイブレータにより通信モードを識別するための異なる振動パターンで装置筐体を振動させることとする。この構成により、携帯無線装置の使用者はバイブレータによる振動パターンによって触覚的に通信モードの種類を容易に把握することができる。
【００１５】
あるいは、前記報知手段として、発音手段、発光手段、バックライト、バイブレータのうちの少なくとも２つを備え、これらの報知手段を任意に組み合わせて動作させるための選択手段を備えたものとする。
【００１６】
上記構成では、複数の報知手段の組み合わせを任意に選択して設定可能とすることにより、複数の報知手段を用いて、使用者の好みや使用状態などに応じた多様な報知形態での報知が可能であり、携帯無線装置の使用者は、装置の動作状態や使用状態などに関わらず通信モードの種類を容易に識別して把握することができる。
【００１７】
また、前記キャンプオン時に、前記複数の通信モードにおけるそれぞれの受信レベルを検出して受信レベルが高い通信モードに切り替え、前記報知手段を駆動して該当する通信モードの種類を報知する制御手段を備えたものとする。
【００１８】
上記構成によれば、受信状態に応じて最適な通信モードを選択し、通信モードの種類を報知することが可能であり、携帯無線装置の使用者は、現在利用可能となった通信モードの種類を容易に認識することができる。
【００１９】
【発明の実施の形態】
以下、図面を参照して本発明の実施形態を説明する。
本実施形態では、携帯無線装置の一例として、ＵＭＴＳによる移動無線通信システムにおけるＧＳＭとＷＣＤＭＡのデュアルモードに対応した携帯電話装置を用いて説明を行う。
【００２０】
図１は、本発明の実施形態に係る携帯無線装置の内部構成を示すブロック図である。本実施形態の携帯無線装置は、主に、アンテナスイッチ２により切り替え可能なアンテナ１と、ＷＣＤＭＡ方式の無線通信信号の送受信処理を行うＷＣＤＭＡ無線通信部３と、ＧＳＭ方式の無線通信信号の送受信処理を行うＧＳＭ無線通信部１３と、これらの無線通信部の制御及びベースバンド信号の信号処理を行うベースバンド制御処理部１４と、ベースバンド制御処理部１４に接続される通信モード報知手段としてのＬＥＤ（発光手段）１８、共鳴器（発音手段）１９、バイブレータ２０、バックライト２１などを有して構成される。
【００２１】
この携帯無線装置は、ＷＣＤＭＡとＧＳＭそれぞれの通信モードによる通信が可能な２つの通信系を有している。通信系の選択は、ベースバンド制御処理部１４からの制御信号によりアンテナスイッチ２が動作して、ＷＣＤＭＡまたはＧＳＭのいずれかの通信系に切り替えられる。
【００２２】
まず、ＷＣＤＭＡの受信系について説明する。アンテナ１から受信したＷＣＤＭＡ通信モードに準ずる通信信号は、アンテナスイッチ２を介してＷＣＤＭＡ無線通信部３に入力される。ＷＣＤＭＡ無線通信部３は、入力された受信信号が適正なレベルになるように、必要な帯域制限などの処理を行い、さらに受信周波数を所定のベースバンド帯域の周波数に変換した後、Ａ／Ｄ（アナログ／デジタル）変換して、一定のビットレートを持つＩ，Ｑデジタルデータを形成する。このＩ，Ｑデジタルデータは、受信レベル検出部４を介して受信復調部５に入力される。
【００２３】
受信復調部５では、供給されたＩ，Ｑデジタルデータに対して、フェージングなどの影響の除去、受信信号の識別、デインターリーブ、エラー訂正などを行い、適切な復号処理を実行して、音声データとその他の制御データなどの非音声データとに分離する。分離された音声データは音声復号部６に送られる。受信レベル検出部４は、上記の復号処理と並行して、現在の受信電波状態を検出し、ベースバンド制御処理部１４が制御可能な値に変換する。
【００２４】
前記音声データは圧縮されて送られてくるため、音声復号部６は音声データを伸張、デコードしてから音声のサンプリングレートに従ってＤ／Ａ（デジタル／アナログ）変換する。変換されたアナログ音声信号はアンプ７で増幅され、スピーカ８から受話音声が出力される。
【００２５】
次に、ＷＣＤＭＡの送信系について説明する。マイク９で取得したアナログ音声信号はアンプ１０で増幅され、音声符号化部１１に入力される。音声符号化部１１は、アナログ音声信号を適切なサンプリングレートでＡ／Ｄ変換し、デジタル信号を生成する。そして、このデジタル信号は所定の符号化方式で符号化して圧縮されて音声データとなり、送信ＲＦ信号におけるブロックにまとめられる。音声符号化部１１からの出力データは、送信変調部１２でまとめられて一定のデータ速度を持つＩ，Ｑデジタルデータに変換されて出力される。
【００２６】
送信変調部１２から出力されるＩ，Ｑデジタルデータは、ＷＣＤＭＡ無線通信部３内の送信回路でＤ／Ａ変換されてアナログ変調信号の送信信号に変換された後、この送信信号が所定のＲＦ帯域の送信周波数に変換されてアンテナスイッチ２を介してアンテナ１から送信される。
【００２７】
ベースバンド制御処理部１４は、アナログコーディックやマイクロプロセッサ（ＣＰＵ）またはデジタルシグナルプロセッサ（ＤＳＰ）などで構成され、携帯無線装置全体の制御を行うようになっている。また、ベースバンド制御処理部１４にはメモリ１７が接続され、実行プログラム、この実行プログラムによる各種機能を表すメニュー、携帯無線装置の制御に必要なデータなどがあらかじめ記憶されている。メモリ１７は、ＲＯＭ、ＲＡＭ、ＥＥＰＲＯＭ等の不揮発性メモリなどで構成される。さらに、ベースバンド制御処理部１４には、メニューの選択などの各種操作を行うためのキー操作部１５が接続されている。表示手段としてのＬＣＤ（液晶表示装置）１６は、通信状態などの装置の動作状態、メニューや各種情報の表示などを行う。
【００２８】
報知手段として設けられるＬＥＤ１８は、着信等を端末の使用者に光で報知する。共鳴器１９は、着信等を端末の使用者に単音やメロディで報知する。バイブレータ２０は、着信等を端末の使用者に振動で報知する。バックライト２１は、ＬＣＤ１６の表示部を各種の色で発光して照明することで、着信等を端末の使用者に報知する。
【００２９】
また、ＧＳＭの受信系及び送信系については、上記で説明したＷＣＤＭＡの通信系におけるＷＣＤＭＡ無線通信部３をＧＳＭ無線通信部１３に切り替えたものである。音声データや非音声データの送受信に関するその他の経路は同じであるため、ここでは詳細の説明を省略する。
【００３０】
次に、上記構成の携帯無線装置における通信モード報知動作について説明する。ここでは、第１実施形態、第２実施形態として通信モード報知動作の手順を２つ例示する。この通信モード報知動作は、ベースバンド制御処理部１４の制御に基づいて実行される。
【００３１】
［第１実施形態］
図２及び図３は、本実施形態の携帯無線装置における通信モード報知動作の第１実施形態として、キャンプオン時に通信モードの種類を利用者に認識させるための報知動作の手順を示したフローチャートである。キャンプオン（Ｃａｍｐ  Ｏｎ）は、通信相手が話中の場合など通信リソースが使用中の場合に、待機状態として通信可能になった時点で自動的に呼び出す機能である。なお、本実施形態では、キャンプオン時として、電源を投入してから携帯無線装置（移動端末）が通信ネットワークをサーチし、ある基地局を捕捉して基地局との間で通信リンクが張れた状態である「ロケーションアップデート（Ｌｏｃａｔｉｏｎ  Ｕｐ  Ｄａｔｅ）時」も含むものとする。ベースバンド制御処理部１４は、特許請求の範囲に記載の選択手段及び制御手段の機能を有し、通信モード報知動作の制御を行う。
【００３２】
はじめに、端末の使用者が携帯無線装置の電源を投入すると、周波数の低い方から高い方へ受信信号のレベル検出を行い（ステップＳ１）、一番受信レベルの高い周波数に同期させ、該当する通信モードに切り替える。ここで、同期した周波数がＧＳＭモードに該当する周波数の場合はステップＳ２で、ＷＣＤＭＡモードに該当する周波数の場合はステップＳ３でそれぞれ通信モードが判断され、当該通信モードに関する報知方法へと移行する。
【００３３】
まず、報知手段がデフォルト（初期状態）の設定であるかどうかを判断し（ステップＳ４）、デフォルト設定である場合はステップＳ７に進み、端末に予め設定された報知方法での報知を行う。ここでは、ＬＥＤ１８の点灯のみを行う。なお、デフォルト設定では、例えば、報知態様として、ＧＳＭモードの場合は赤色、ＷＣＤＭＡモードの場合は青色というように、点灯する色を通信モードごとに予め設定している。
【００３４】
次に、報知手段がデフォルト設定ではない場合はステップＳ５に進み、以降で端末の使用者が予め設定した報知方法を検知して報知を行う。報知手段の選択、報知態様などの報知方法の設定は、ＬＣＤ１６に設定画面のメニュー等を表示し、使用者が選択操作することによって任意に設定することができる。まず、ステップＳ５では報知手段が複数設定されているかどうかの判断を行う。複数設定されていない場合は報知手段の単機能設定の処理に相当するステップＳ６以降へ進み、選択された報知手段の判定及び起動を行う。
【００３５】
ステップＳ６で報知手段としてＬＥＤが選択されているかどうかを判断し、選択されている場合はステップＳ７でＬＥＤ１８を点灯させる。ＬＥＤが選択されていない場合はステップＳ８へ進み、報知手段として共鳴器が選択されているかどうかを判断し、選択されている場合はステップＳ９で共鳴器１９により報知音を鳴動する。例えば、報知態様として、ＧＳＭモードの場合は単音、ＷＣＤＭＡモードの場合はメロディというように鳴らす音を設定できる。
【００３６】
ステップＳ８で共鳴器が選択されていない場合はステップＳ１０に進み、報知手段としてバイブレータが選択されているかどうかを判断し、選択されている場合はステップＳ１１でバイブレータ２０を振動させる。例えば、報知態様として、ＧＳＭモードの場合は１回、ＷＣＤＭＡモードの場合は２回バイブレータを振動させるというように設定できる。
【００３７】
ステップＳ１０でバイブレータが選択されていない場合はステップＳ１２へ進み、報知手段としてバックライトが選択されているかどうかを判断し、選択されている場合はステップＳ１３でバックライト２１を点灯させる。例えば、報知態様として、ＧＳＭモードの場合は赤色、ＷＣＤＭＡモードの場合は青色というように点灯するバックライトの色を設定できる。バックライトが選択されていない場合はステップＳ１４に進み、通信モードの報知設定がされていないと判断し、通信モードの違いによる報知を実行しない。
【００３８】
上記のステップＳ７、ステップＳ９、ステップＳ１１、ステップＳ１３のいずれかを実行してＧＳＭまたはＷＣＤＭＡのいずれかの通信モードの報知が行われた後、及びステップＳ１４の後には、キャンプオンの状態となる。
【００３９】
一方、ステップＳ５で、報知手段が複数設定されていると判断された場合、図４のフローチャートのＡで示す位置へ進み、報知手段の複数機能設定として２つの機能設定の処理に相当するステップＳ６以降へ進み、選択された報知手段の組み合わせ判定及び起動を行う。
【００４０】
まず、ステップＳ１５でＬＥＤと共鳴器の組み合わせが選択されているかどうかを判断し、選択されている場合はステップＳ１６へ進む。ステップＳ１６では、例えば、報知態様として、ＧＳＭモードの場合はＬＥＤ１８を赤色に点灯して共鳴器１９から単音またはメロディ（例えば単音）を鳴らし、ＷＣＤＭＡモードの場合はＬＥＤ１８を青色に点灯して共鳴器１９から単音またはメロディ（例えばメロディ）を鳴らすというような設定が行える。なお、共鳴器１９より出力する報知音は、単音や各種メロディなど、使用者の設定状態によって任意に選択できる。以降の共鳴器１９からの報知音についても同様である。
【００４１】
ステップＳ１５でＬＥＤと共鳴器の組み合わせが選択されていない場合はステップＳ１７へ進み、ＬＥＤとバイブレータの組み合わせが選択されているかどうかを判断し、選択されている場合はステップＳ１８へ進む。ステップＳ１８では、例えば、報知態様として、ＧＳＭモードの場合はＬＥＤ１８を赤色に点灯してバイブレータ２０を１回振動させ、ＷＣＤＭＡモードの場合はＬＥＤ１８を青色に点灯してバイブレータ２０を２回振動させるというような設定が行える。
【００４２】
ステップＳ１７でＬＥＤとバイブレータの組み合わせが選択されていない場合はステップＳ１９へ進み、ＬＥＤとバックライトの組み合わせが選択されているかどうかを判断し、選択されている場合はステップＳ２０へ進む。ステップＳ２０では、例えば、報知態様として、ＧＳＭモードの場合はＬＥＤ１８を赤色に点灯してバックライト２１を赤色に点灯させ、ＷＣＤＭＡモードの場合はＬＥＤ１８を青色に点灯してバックライト２１を青色に点灯させるというような設定が行える。
【００４３】
ステップＳ１９でＬＥＤとバックライトの組み合わせが選択されていない場合はステップＳ２１へ進み、共鳴器とバイブレータの組み合わせが選択されているかどうかを判断し、選択されている場合はステップＳ２２へ進む。ステップＳ２２では、例えば、報知態様として、ＧＳＭモードの場合は共鳴器１９から単音を発してバイブレータ２０を１回振動させ、ＷＣＤＭＡモードの場合は共鳴器１９からメロディを発してバイブレータ２０を２回振動させるというような設定が行える。
【００４４】
ステップＳ２１で共鳴器とバイブレータの組み合わせが選択されていない場合はステップＳ２３へ進み、共鳴器とバックライトの組み合わせが選択されているかどうかを判断し、選択されている場合はステップＳ２４へ進む。ステップＳ２４では、例えば、報知態様として、ＧＳＭモードの場合は共鳴器１９から単音を発してバックライト２１を赤色に点灯させ、ＷＣＤＭＡモードの場合は共鳴器１９からメロディを発してバックライト２１を青色に点灯させるというような設定が行える。
【００４５】
ステップＳ２３で共鳴器とバックライトの組み合わせが選択されていない場合はステップＳ２５へ進み、バイブレータとバックライトの組み合わせが選択されているかどうかを判断し、選択されている場合はステップＳ２６へ進む。ステップＳ２６では、例えば、報知態様として、ＧＳＭモードの場合はバイブレータ２０を１回振動させてバックライト２１を赤色に点灯させ、ＷＣＤＭＡモードの場合はバイブレータ２０を２回振動させてバックライト２１を青色に点灯させるというような設定が行える。
【００４６】
ステップＳ２５でバイブレータとバックライトの組み合わせが選択されていない場合は、報知手段の２つの機能設定の処理を終了してステップＳ２７へ進む。なお、上記ステップＳ１６、ステップＳ１８、ステップＳ２０、ステップＳ２２、ステップＳ２４、ステップＳ２６のいずれかを実行してＧＳＭまたはＷＣＤＭＡのいずれかの通信モードの報知が行われた後には、キャンプオンの状態となる。
【００４７】
一方、ステップＳ２７以降では、報知手段の複数機能設定として３つの機能設定がされた場合の処理を実行し、選択された報知手段の組み合わせ判定及び起動を行う。まず、ステップＳ２７でＬＥＤと共鳴器とバイブレータの組み合わせが選択されているかどうかを判断し、選択されている場合はステップＳ２８へ進む。ステップＳ２８では、例えば、報知態様として、ＧＳＭモードの場合はＬＥＤ１８を赤色に点灯して共鳴器１９から単音を鳴らしてバイブレータ２０を１回振動させ、ＷＣＤＭＡモードの場合はＬＥＤ１８を青色に点灯して共鳴器１９からメロディを鳴らしてバイブレータ２０を２回振動させるというような設定が行える。
【００４８】
ステップＳ２７でＬＥＤと共鳴器とバイブレータの組み合わせが選択されていない場合はステップＳ２９へ進み、ＬＥＤと共鳴器とバックライトの組み合わせが選択されているかどうかを判断し、選択されている場合はステップＳ３０へ進む。ステップＳ３０では、例えば、報知態様として、ＧＳＭモードの場合はＬＥＤ１８を赤色に点灯して共鳴器１９から単音を鳴らしてバックライト２１を赤色に点灯させ、ＷＣＤＭＡモードの場合はＬＥＤ１８を青色に点灯して共鳴器１９からメロディを鳴らしてバックライト２１を青色に点灯させるというような設定が行える。
【００４９】
ステップＳ２９でＬＥＤと共鳴器とバックライトの組み合わせが選択されていない場合は、報知手段として３つを選択する組み合わせの判断を終了してステップ３１に進み、通信モードの報知設定がされていないと判断し、通信モードの違いによる報知を実行しない。なお、上記ステップＳ２８、ステップＳ３０、のいずれかを実行してＧＳＭまたはＷＣＤＭＡのいずれかのモードの報知が行われた後、及びステップＳ３１の後には、キャンプオンの状態となる。
【００５０】
以上の通信モード報知動作により、携帯無線装置の使用者は、キャンプオン時における通信モードがＧＳＭであるか、またはＷＣＤＭＡであるかを容易かつ確実に把握することができる。
【００５１】
［第２実施形態］
図４及び図５は、本実施形態の携帯無線装置における通信モード報知動作の第２実施形態として、音声またはデータ受信時に通信モードの種類を利用者に認識させるための報知動作の手順を示したフローチャートである。
【００５２】
はじめに、携帯無線装置が音声またはデータを受信した場合に、受信時における各通信モードの受信情報の検出を行う（ステップＳ４１）。ここで、ＧＳＭモードに該当する音声及びデータの受信である場合はステップＳ４２で、ＷＣＤＭＡモードに該当する音声及びデータの受信である場合はステップＳ４３でそれぞれ通信モードが判断され、当該通信モードに関する報知方法へと移行する。
【００５３】
以降の、ステップＳ４４からステップＳ５４までの報知方法の手順は、前述したキャンプオン時の単機能設定の処理手順と同じである。即ち、第１実施形態における図２のステップＳ４からステップＳ１４までの手順と同じであり、ここでは説明を省略する。また、図５のステップＳ５５からステップＳ７１までの報知手順も、前述したキャンプオン時の複数機能設定の処理手順と同一、即ち、第１実施形態における図３のステップＳ１５からステップＳ３１までの手順と同じであるので、ここでは説明を省略する。
【００５４】
このように、音声またはデータの受信時においても、携帯無線装置の使用者は、受信動作時における通信モードがＧＳＭであるか、またはＷＣＤＭＡであるかを容易かつ確実に把握することができる。
【００５５】
なお、本発明は上述した実施形態に何ら限定されるものではなく、その要旨を逸脱しない範囲において種々の態様で実施し得るものである。上記実施形態では、携帯無線装置としてＧＳＭ／ＷＣＤＭＡデュアルモード対応の携帯電話装置における構成例を説明したが、これに限らず、複数の通信モードによる無線通信が可能なその他のあらゆる携帯無線装置に対して本発明を適用可能である。
【００５６】
また、キャンプオン時や音声またはデータの受信時に限らず、使用者が必要とする場合は、送信時や受信待機時など、任意の動作状態において、適宜通信モードを報知するようにしてもよい。
【００５７】
上述したように本実施形態では、通信モードを視覚的、聴覚的、触覚的に報知する報知手段を備えることにより、複数の通信モードにより通信可能な携帯無線装置において、使用される通信モードを使用者が容易かつ確実に認識することができる。したがって、使用者は現時点での利用可能な通信モードの種類を認識することが可能となるとともに、現在の通信モードに適したサービスを利用することが可能である。また、表示部に表示した選択メニュー等によって報知手段を組み合わせて選択可能にすることによって、使用者は、報知手段の消費電力や端末のバッテリー残量等を考慮しながら、自在に報知手段及び報知態様を選択できるため、状況に応じて電池寿命の調整も可能である。
【００５８】
【発明の効果】
以上説明したように本発明によれば、複数の通信モードによる通信が可能な携帯無線装置において、使用する通信モードを使用者が容易かつ確実に認識することが可能な携帯無線装置をできる。
【図面の簡単な説明】
【図１】本発明の実施形態に係る携帯無線装置の内部構成を示すブロック図
【図２】本実施形態の携帯無線装置における通信モード報知動作の第１実施形態として、キャンプオン時に通信モードの種類を利用者に認識させるための報知動作の手順を示したフローチャート
【図３】本実施形態の携帯無線装置における通信モード報知動作の第１実施形態として、キャンプオン時に通信モードの種類を利用者に認識させるための報知動作の手順を示したフローチャート
【図４】本実施形態の携帯無線装置における通信モード報知動作の第２実施形態として、音声またはデータ受信時に通信モードの種類を利用者に認識させるための報知動作の手順を示したフローチャート
【図５】本実施形態の携帯無線装置における通信モード報知動作の第２実施形態として、音声またはデータ受信時に通信モードの種類を利用者に認識させるための報知動作の手順を示したフローチャート
【符号の説明】
１  アンテナ
２  アンテナスイッチ
３  ＷＣＤＭＡ無線通信部
４  受信レベル検出部
５  受信復調部
６  音声復号部
１１  音声符号化部
１２  送信変調部
１３  ＧＳＭ無線通信部
１４  ベースバンド制御処理部
１５  キー操作部
１６  ＬＣＤ
１７  メモリ
１８  ＬＥＤ
１９  共鳴器
２０  バイブレータ
２１  バックライト
【図１】
2004193763.tif 000003
【図２】
2004193763.tif 000004
【図３】
2004193763.tif 000005
【図４】
2004193763.tif 000006
【図５】
2004193763.tif 000007